【事件の表示】
　特願２０００−３２６５５５「パチンコ機」拒絶査定不服審判事件〔平成１３年　４月２４日出願公開、特開２００１−１１２９４８〕について、次のとおり審決する。
【結　論】
　本件審判の請求は、成り立たない。
【理　由】
１． 手続きの経緯、本願発明 
　本願は、平成８年５月２２日に出願した特願平８−１５０２０７号の一部を平成１２年１０月２６日に新たな特許出願としたものであって、平成１４年８月２３日付の拒絶理由に対し平成１４年９月２５日付で手続補正がなされ、平成１５年５月９日付で拒絶査定がなされ、これに対し平成１５年６月５日に拒絶査定に対する審判請求がなされたものであって、その請求項１に係る発明（以下、「本願発明」という。）は、平成１４年９月２５日付手続補正書の特許請求の範囲の請求項１に記載された次のとおりのものである。
　　　　　　　　　　　
「　ベースの上部に遊戯球が通過するガイド孔を備えたゲートと、該ガイド孔の直下のベースに通過した遊戯球を左又は右に誘導する流路を形成した流路変更板とを備えた流路変更板付ゲートを設けたパチンコ機において、
　該流路変更板の上面には、遊戯球を横方向に方向付けして前記遊技盤に設けられた中央スタートチャッカーに向けて排出する手段として複数の誘導凹溝を設けたことを特徴とするパチンコ機。」
　　　　　　　　　　　　　
２．先願の願書に最初に添付された明細書又は図面に記載された発明
　原査定の拒絶の理由の理由１で引用された特願平８−３５５０９号（特開平９−２０１４５３号）（以下「先願」という。）の願書に最初に添付された明細書又は図面には、図面とともに以下の記載がある。
　　　　　　　　　　　　　　　　　
（記載事項ａ）
「  取付基板の前面にパチンコ球の通過を検出する通過ゲートを突設すると共に、その下方に通過ゲートを通過したパチンコ球を受けて横方向へ送り出す流路変更部材を配置してなり、該流路変更部材は裏側に取付板部が設けられ、一方、前記取付基板には取付板部が嵌合して右・左両方向へ回転できる取付用孔が開設され、前記通過ゲートを通過したパチンコ球を右または左横方向へ送り出せるように流路変更部材を所定方向へ所定角度回転させた位置で固定し得るようにしたことを特徴とするパチンコ機における通過チャッカー。」（特許請求の範囲）
　　　　　　　　　　　　　　　　　
（記載事項ｂ）
「【課題を解決するための手段】かかる目的を達成するため、本発明のパチンコ機の通過チャツカーは、取付基板の前面にパチンコ球の通過を検出する通過ゲートを突設すると共に、その下方に通過チャッカーを通過したパチンコ球を受けて横方向へ送り出す流路変更部材を配置してなる。そして、該流路変更部材は裏側に取付板部が設けられ、一方、取付基板側には取付板部が嵌合して右・左側両方向へ回転できる取付用孔が開設されている。」（段落【０００５】）
　　　　　　　　　　　　　　　　　　　　
（記載事項ｃ）
「　そして、前記可変表示装置４の左・右両側には本発明の実施の形態の要部を構成する通過チャッカー１０（１０ａ），１０（１０ｂ）が装着されており、該各通過チャッカー１０（１０ａ），１０（１０ｂ）を通過したパチンコ球はそれぞれ遊技盤の中央領域、すなわち始動入賞口５側へ送り出されるようになっている。なお、その詳細な構成は後に詳述する。また、１１は遊技盤１面に装着される風車，１２は一般入賞口である。
そこで、遊技部１ａに打ち込まれたパチンコ球が始動入賞口５に入賞すると、可変表示装置４における可変表示器３前面の記号が変動を開始し、一定時間経過後、その可変表示が停止する。そして、その停止時における表示の組み合わせが特定の組み合わせ（例えば「７，７，７」）に揃うと特別遊技状態となり、開閉扉９を所定時間（例えば３０秒，又はパチンコ球が１０個入るまでの間）開き続け、一定の条件の下に閉じた後再び開成する動作が繰り返し行なわれ、遊技者にとって多大な利益が付与されるようになっている。
また、いずれかの通過チャッカー１０（１０ａ），１０（１０ｂ）をパチンコ球が通過すると、可変表示装置４における複表示器３ａが変動を開始し、一定時間経過後に停止する。この時、表示された数字が特定の数字（例えば、「３」または「７」）になると、始動入賞口５の一対の開閉翼片１３，１３が一定時間（例えば３秒）の間両側へ逆八の字状に傾動してパチンコ球を入賞し易くする。また、前記通過チャッカー１０（１０ａ），１０（１０ｂ）を通過したパチンコ球は中央側に送り出されるので、始動入賞口５へパチンコ球が入賞し易くなり、これにより遊技の興趣を高めるようにしている。」（段落【０００９】〜【００１１】）
　　　　　　　　　　　　　　　　　　　
（記載事項ｄ）
「　次に、本発明に係るパチンコ機の通過チャッカー１０（１０ａ），１０（１０ｂ）について説明する。なお、遊技盤１の左・右側いずれも同一なので、便宜上左側の通過チャッカー１０（１０ａ）について説明する。該通過チャッカー１０（１０ａ）は図１乃至図５に示されるように、遊技盤１に取り付けられる合成樹脂製の取付基板１４の前面上部に上下に貫通した通過ゲート１５が一体に設けられる。該通過ゲート１５には通過するパチンコ球を検出するための球検出器１６が装着される。該球検出器１６は薄い直方体形状からなり、胴部先端にリング状の検知部１６ａが設けられた公知のものである。そして、取付基板１４の裏面に設けたフック部材１７により抜脱不能に固定される。
前記通過ゲート１５の下方で取付基板１４に円形の取付用孔１８が開設される。該取付用孔１８の裏側外周縁に内側に窪む環状凹部１９が形成されると共に、その略上半部に凹凸波状の係合部２０が設けられ、その両終端に突条停止部２１，２１が設けられている。また、環状凹部１９の下部中央には切欠き２２が設けられている。
２３は前記取付用孔１８に嵌合して取付基板１４の前面に取り付けられる流路変更部材であり、正面略くの字型の部材本体２３ａとその後側にビス２４，２４で螺締めされる略扇形状の取付板部２３ｂとからなり、これらはいずれも透明な合成樹脂により形成される。部材本体２３ａは上面にくの字状の球受面２５が形成され、後面には取付板部２３ｂの下部が嵌り込む凹窪２６及び螺子孔２７，２７が設けられている。取付板部２３ｂは弧状に形成された上端縁に前記取付用孔１８裏側の環状凹部１９に嵌り込む嵌合突条２８が突設され、その前面に前記係合部２０と係合する凹凸波状の係合部２９が設けられる。また、中央下端に前記切欠き２２から環状凹部１９に嵌り込む係止突片３０が設けられ、更に、その両側にはビス挿通孔３１，３１が設けられている。部材本体２３ａと取付板部２３ｂとが一体にビス２４，２４止めされた状態では、部材本体２３ａ後面と係止突片３０との間には前記取付基板１４の環状凹部１９の厚みと同等の隙間Ｓが形成される。」（段落【００１２】〜【００１４】）
　　　　　　　　　　　　　　　　　　　　　　
（記載事項ｅ）
「　一方、遊技盤１の右側に通過チャッカー１０（１０ｂ）を装着するときは、ビス４３，４３を緩めて流路変更部材２３を図３鎖線に示されるように回転させ、この状態で再び前記ビス４３，４３を螺締する。このように、流路変更部材２３が取付基板１４の前面に取り付けられることにより、通過ゲート１５の下方に、左側の通過チャッカー１０（１０ａ）では右側に下傾する球受面２５が配置され、また右側の通チャッカー１０（１０ｂ）では左側に下傾する球受面２５がそれぞれ位置し、各通過ゲート１５，１５を通過したパチンコ球が遊技盤１の中央側へ送り出される。」（段落【００１９】）
　　　　　　　　　　　　
　これらの記載、並びに、特に、
(i）「取付基板１４の前面上部に上下に貫通した通過ゲート１５が一体に設けられる。」（記載事項ｄ）という記載及び図１の記載から、通過ゲート１５が、取付基板１４及び略扇形状の取付板部２３ｂの「上部」にパチンコ球が通過する「ガイド孔」を備えていることが明らかなこと、
(ii)「左側の通過チャッカー１０（１０ａ）では右側に下傾する球受面２５が配置され、また右側の通チャッカー１０（１０ｂ）では左側に下傾する球受面２５がそれぞれ位置し、各通過ゲート１５，１５を通過したパチンコ球が遊技盤１の中央側へ送り出される。」（記載事項ｅ）という記載から、通過チャッカー１０における球受面２５が、パチンコ球を「左又は右に誘導する」ことが明らかであるし、図１に示される「ガイド孔」（前記(i)参照。）と球受面２５との位置関係から、流路変更部材２３の部材本体２３ａにおける球受面２５が、ガイド孔の「直下」の取付基板１４及び略扇形状の取付板部２３ｂに形成されていることも明らかであること、
(iii)「各通過チャッカー１０（１０ａ），１０（１０ｂ）を通過したパチンコ球はそれぞれ遊技盤の中央領域、すなわち始動入賞口５側へ送り出される」（記載事項ｃ）という記載及び「通過チャッカーを通過したパチンコ球を受けて横方向へ送り出す流路変更部材」（記載事項ｂ）という記載から、流路変更部材２３の部材本体２３ａの球受面２５が、パチンコ球を横方向に「方向付けして」遊技盤に設けられた始動入賞口５に「向けて排出する」ことが明らかであること、
　　　　　　　　　　　　　　　
を勘案すれば、先願には、次の発明（以下、「先願発明」という。）が記載されていると認められる。
　　　　　　　　　　　　　　　　　　
 「　取付基板１４及び略扇形状の取付板部２３ｂの上部にパチンコ球が通過するガイド孔を備えた通過ゲート１５と、該ガイド孔の直下の取付基板１４及び略扇形状の取付板部２３ｂに通過したパチンコ球を左又は右に誘導する球受面２５を形成した流路変更部材２３の部材本体２３ａとを備えた通過チャッカー１０を設けたパチンコ機において、
　該流路変更部材２３の部材本体２３ａの球受面２５は、パチンコ球を横方向に方向付けして遊技盤に設けられた始動入賞口５に向けて排出するパチンコ機。」
                                    
３．対比
　そこで、本願発明と先願発明とを比較すると、先願発明のａ「取付基板１４及び略扇形状の取付板部２３ｂ」、ｂ「パチンコ球」、ｃ「通過ゲート１５」、ｄ「球受面２５」、ｅ「流路変更部材２３の部材本体２３ａ」、ｆ「通過チャッカー１０」、ｇ「始動入賞口５」は、それぞれ、本願発明のａ「ベース」、ｂ「遊戯球」、ｃ「ゲート」、ｄ「流路」又は「上面」、ｅ「流路変更板」、ｆ「流路変更板付ゲート」、ｇ「中央スタートチャッカー」に相当する。
　そして、本願発明における「流路変更板の上面には、遊戯球を横方向に方向付けして前記遊技盤に設けられた中央スタートチャッカーに向けて排出する手段として複数の誘導凹溝を設けた」と、先願発明における「流路変更部材２３の部材本体２３ａの球受面２５は、パチンコ球を横方向に方向付けして遊技盤に設けられた始動入賞口５に向けて排出する」とは、流路変更板が、遊戯球を横方向に方向付けして遊技盤に設けられた中央スタートチャッカーに向けて排出する点で共通している。
　　　　　　　　　　　　　　　　
　よって、両者は、
　　　　　　　　　　　　　　　
「　ベースの上部に遊戯球が通過するガイド孔を備えたゲートと、該ガイド孔の直下のベースに通過した遊戯球を左又は右に誘導する流路を形成した流路変更板とを備えた流路変更板付ゲートを設けたパチンコ機において、
　該流路変更板は、遊戯球を横方向に方向付けして遊技盤に設けられた中央スタートチャッカーに向けて排出するパチンコ機。」
　　　　　　　　　　　　　　　　　　
である点で一致し、以下の点で相違する。
　　　　　　　　　　　　　　　　
　相違点
　遊戯球を横方向に方向付けして遊技盤に設けられた中央スタートチャッカーに向けて排出するのが、本願発明では、流路変更板の上面に設けられた複数の誘導凹溝という手段であるのに対して、先願発明では、流路変更板の上面である点。
　　　　　　　　　　　　　　　　　
４．判断
　上記相違点について検討する。
　複数の誘導凹溝という手段により遊戯球を方向付けすることは周知技術（例えば、特開平６−３９１００号公報（特に、段落【００３３】、図２１を参照。）、特開平６−１６５８５１号公報（特に、段落【００１７】、図２を参照。）、特開平４−１０５６７１号公報（特に、第５頁右上欄第２〜７行、第４図を参照。）を参照。）であるから、遊戯球をより一層方向付けするために、先願発明において、遊戯球を方向付けする流路変更板の上面に、前記周知技術の如く遊戯球を方向付けする複数の誘導凹溝という手段を設けることにより上記相違点に係る構成とすることは、単なる周知技術の付加にすぎず、また、課題解決のための具体化手段における微差にすぎない。
　　　　　　　　　　　　　　　　　　　　
５．まとめ  
　以上のとおり、本願発明は、先願発明と実質同一であり、しかも本願発明の発明者が前記先願発明の発明者と同一であるとも、本願出願の時において、その出願人が先願の出願人と同一であるとも認められないから、本願発明は特許法第２９条の２の規定により特許を受けることができない。
　したがって、本願は拒絶をすべきものである。　　
　よって、結論のとおり審決する。